(57)【要約】      （修正有）【課題】映画館、ビルディング、店舗、病院、地下鉄などの室内や通路には、一般に、巾木や手すりなどが設置されている。この巾木や手すりなどの建材製品に省エネルギーのＬＥＤ光源の光を連続的に組み合わせ、保安灯ないし誘導灯としての機能を持たせた建材製品を提供する。【解決手段】商業電源より入力した交流電気をＡＣアダプター３により直流に変換し、接続したＬＥＤランプ５を光らせ、さらに、側面発光させた光ファイバー７を建物の室内や通路の壁面、床面、階段などに設置する巾木６、階段のステップ、手すりなどの表面に組み合わせ、保安灯ないし誘導灯としての機能を持たせた建材製品を形成する。なお、非常時において、商業用電源が遮断されて停電になった場合、非常用バッテリー１０が作動し、ＬＥＤユニット４に電源を供給し、誘導灯としての機能を持たせた建材製品を形成する。【選択図】図４
0003160868.tif 000002
【実用新案登録請求の範囲】
【請求項１】
ＬＥＤ（発光ダイオード）光源の光を透明合成樹脂製丸棒形状の光ファイバーの片側端面から放射させ、ＬＥＤ光の直進性と光ファイバーの持つ側面発光性により、光を丸棒内を通過させると同時に、丸棒の側面全体を発光させる機能を有した光ファイバー
【請求項２】
ＬＥＤユニットを巾木、階段ステップ、手すり、電線保護用床面および壁面カバーなどの建材製品の端部に取り付け、同建材製品に並行して表面に組み合せた丸棒状の光ファイバーの端面よりもう一方の端面までＬＥＤ光を通過させると同時に、光ファイバーの側面全体を光らせて、保安灯ないし誘導灯としての機能を持たせた建材製品
【請求項３】
電線が内部または裏面に組み込まれた建材製品同士が接続用ユニットを介して連結して長尺にできる構造を有する請求項２に記載の建材製品
【請求項４】
商業用電源が遮断されて停電になった場合、ＡＣアダプターに付加された充電可能な非常用バッテリーが作動し、ＬＥＤユニットに電源を供給し、光ファイバーを側面発光させる請求項２および請求項３に記載の建材製品
【考案の詳細な説明】
【技術分野】
【０００１】本考案は、ＬＥＤ（発光ダイオード）光源の光を透明樹脂製光ファイバーの端面に当て、その光ファイバーの中を通過させ、その側面全体を光らせることにより、発光機能を有する光ファイバーを巾木や手すりなどに組み合わせ、保安灯ないし誘導灯としての機能を持たせた建材製品に関する。
【背景技術】
【０００２】従来、映画館の通路、ビルディング、店舗、病院などの公共的施設などの室内や階段などの暗い足元や手すりなどの位置を確認するには、電灯を点灯する。しかし、停電などの場合、非常灯としての誘導灯は、矢印や非常口などの絵柄で方向のみ点灯するが、この方法では、非常時、出口までたどり着くのが困難な場合がある。
【考案の概要】
【考案が解決しようとする課題】
【０００３】映画館、ビルディング、店舗、病院などの室内や通路には、一般に、壁面の床に接する部分に貼る板材である巾木や手すりなどが設置されている。この巾木や手すりなどの建材製品に省エネルギーのＬＥＤ光源の光を連続的に組み合わせることができれば、保安灯ないし誘導灯としての機能を持たせることができる。
【考案が解決するための手段】
【０００４】そこで、光特性、透明性が優れているが、強度が弱くて、もろい透明フッ素樹脂を１〜５ｍｍφ中心のコアとし、長尺の丸棒状態に押出加工すると同時に、その外周に、０．２〜１．０ｍｍ厚程度の薄い被膜の強度のある透明塩化ビニール樹脂層を二色成形、すなわち、共押出加工して、２〜６ｍｍφ程度の透明性と光特性の優れた強度のある二層の丸棒形状を形成する。この丸棒は光ファイバーとしての機能を有する直径２〜６ｍｍφの透明丸棒形状の光ファイバーの端面よりＬＥＤ光を点灯させると、光が同光ファイバーの中を通過し、約５ｍ先のもう一方の端面まで光が到達するだけでなく、同光ファイバーの側面全体も明るく光る状態を形成する。特に、ＬＥＤ光を光の三原色である赤・緑・青の光源にすると際立った着色透明光が光ファイバー全体を発光させた状態を形成する。
【０００５】例えば、この直径３ｍｍφの光ファイバーを巾木、手すり、階段のステップ、床や壁面部電線保護用カバーなどの建材製品と並行して、その表面に貼りつけるか組み込み、端部より商業電源より入力した電気をＡＣアダプターで直流に変換してＬＥＤを点灯し、そのＬＥＤ光源の光を巾木などの表面に組み込んだ光ファイバーの端面に当てるとＬＥＤ光は、光ファイバーの中を通過し、約５ｍ先のもう一方の端面も明るく光る状態となると同時に、同光ファイバーの側面全体も明るく光る状態となるため、巾木などの建材製品は、保安灯ないし誘導灯としての機能兼ね備えることができる。特に、赤・緑・青の光の三原色のＬＥＤ光源を接続した光ファイバーを同建材製品の表面または横溝内に埋め込んだ巾木は、施工された壁面の床に接する板材上の同光ファイバーが非常に目立った着色透明色を放ち、保安灯ないし誘導灯としての機能を持たせた状態を形成する。
【考案の効果】
【０００６】例えば、映画館や百貨店など、人が多く集まる建物が停電になった場合、現状では、非常口の絵柄の方向のみが点灯しているが、途中の道がわからないため、混乱をきたす場合がある。しかし、本考案によれば、ＡＣアダプターに非常用バッテリーが付加されたＬＥＤ光源の光により光ファイバーが発光して、巾木を壁面の床に接する部分に設置した時、停電になった時でも、非常用バッテリーが作動して、光ファイバーが発光して、その光ファイバーの明かりに沿って通路を通れば、逃げ道の軌道を確保でき、階段などを通って屋外に出ることができる。
【図面の簡単な説明】
【０００７】
【図１】ＬＥＤ光源の光を端面より発光させた光ファイバーの断面図
【図２】ＬＥＤ光源が接続された光ファイバーを組み合わせた巾木の断面図
【図３】図２の光ファイバー付き巾木を繰り返し接続した複数連結巾木の断面図
【図４】非常用バッテリーが付加された図３の複数連結巾木の断面図
【考案を実施するための形態】
【実施例】
【０００８】図３において、５５ｍｍ巾×３尺（９１５ｍｍ）長さ×５ｍｍ厚の巾木６を接続ユニットで巾木同士を接続する。例えば巾木を５本つなぎ、その片側端部に商業電源１よりプラグ２を通じて入力した交流電気をＡＣアダプター３を介して直流に変換したＬＥＤユニット４を接続し、ＬＥＤランプ５よりＬＥＤ光源の光を放射し、巾木５本分、約４．６ｍの巾木表面の溝に埋め込んだ光ファイバー７のＬＥＤ側端面より、もう一方の端面まで光を通過させ、光ファイバーの側面を発光させる全体を１ユニットとして、壁面の床に接する部分に並行に設置すると、このＬＥＤ光源と光ファイバーの付いた建材製品全体が保安灯ないし誘導灯としての機能持たせた長尺発光装置を形成することができる。本考案による光ファイバー付き巾木は、柔らかく、曲面に曲げられる特性があり、ラセン階段のような曲面を有する場所にもフレキシブルに対応した製品を形成することができる。【０００９】また、図３の全体を１ユニットして、図４のように、ＡＣアダプターに非常用バッテリーを付加したＬＥＤユニットを組み込んだ上で、繰り返し、たとえば、５ユニットを接続して、約２３ｍの長さに延長すると、停電などの非常時にも、誘導灯としての機能を持たせたＬＥＤ光源と光ファイバーの付いた長尺発光建材製品を形成することができる。この製品の長さは、用途や場所によって、自由に選択して対応できる。
【産業上の利用可能性】
【００１０】この長尺発光建材製品は、映画館、百貨店、店舗や病院、地下鉄などの公共的施設は元より、集合住宅や一般住宅にも利用可能である。
【符合の説明】
【００１１】１    商業電源コンセント
２    プラグ
３    ＡＣアダプター
４    ＬＥＤユニット
５    ＬＥＤランプ
６    巾木
７    合成樹脂製丸棒形状の光ファイバー
８    電線
９    接続用ユニット
１０  非常用バッテリー
【図１】
0003160868.tif 000003
【図２】
0003160868.tif 000004
【図３】
0003160868.tif 000005
【図４】
0003160868.tif 000006
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
芯材がアクリル系樹脂であり、当該芯材が熱可塑性樹脂の薄い被膜によって覆われた積層樹脂構造を有した光ファイバー。
【請求項２】
ＬＥＤ光源を有する装置と請求項１に記載の光ファイバーを建材製品の側面に沿って組み込んだ長尺形状体の建材製品から成り、上記ＬＥＤ光源を上記光ファイバーの端面に配置することを特徴とする建材製品。
【請求項３】
建材製品の内部または裏面に電線を組み込むと共に、建材製品同士を接続するための接続用ユニットを有する請求項２に記載の建材製品。
【請求項４】
上記ＬＥＤ光源を有する装置はＡＣアダプターおよび充電可能な非常用バッテリーを有し、アダプターはＬＥＤに電源を供給すると共に、上記ＡＣアダプターには上記非常用バッテリーが接続されていることを特徴とする請求項２ないし請求項３に記載の建材製品。
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
芯材がアクリル系樹脂であり、当該芯材が熱可塑性樹脂の薄い被膜によって覆われた積層樹脂構造を有した光ファイバー。
【請求項２】
ＬＥＤ光源を有する装置と請求項１に記載の光ファイバーを建材製品の側面に沿って組み込んだ長尺形状体の建材製品から成り、上記ＬＥＤ光源を上記光ファイバーの端面に配置することを特徴とする建材製品。
【請求項３】
建材製品の内部または裏面に電線を組み込むと共に、建材製品同士を接続するための接続用ユニットを有する請求項２に記載の建材製品。
【請求項４】
上記ＬＥＤ光源を有する装置はＡＣアダプターおよび充電可能な非常用バッテリーを有し、アダプターはＬＥＤに電源を供給すると共に、上記ＡＣアダプターには上記非常用バッテリーが接続されていることを特徴とする請求項２または請求項３に記載の建材製品。